(57)【特許請求の範囲】
【請求項１】
複数種類の放出関連処理を行う放出機構と、
硬貨の種類に応じて硬貨を受け取る領域が位置固定されている硬貨受取部と、
前記硬貨受取部に設けられて前記硬貨受取部を複数の領域に区分けする仕切り部と、
前記放出機構から硬貨が放出され、前記放出機構から放出された硬貨を前記各領域に振り分ける振分部と
を備えることを特徴とする硬貨処理装置。
【請求項２】
前記領域は、容量を可変可能であることを特徴とする請求項１に記載の硬貨処理装置。
【請求項３】
前記仕切り部は、前記硬貨受取部に少なくとも一つ設けられて前記硬貨受取部を少なくとも二つの領域に区分けすることを特徴とする請求項１又は２に記載の硬貨処理装置。
【請求項４】
前記仕切り部は、前記硬貨受取部に着脱可能に設けられていることを特徴とする請求項１乃至３の何れか一項に記載の硬貨処理装置。
【発明の詳細な説明】
【技術分野】
【０００１】
本発明は、硬貨処理装置に関する。
【背景技術】
【０００２】
従来から、受皿や出金口等の共通の硬貨受取部に、出金操作に伴って実行される出金処理によって硬貨出金機構から出金される出金硬貨と、入金取り消し操作に伴って実行される入金返却処理によって返却される返却硬貨とを放出すると共に、硬貨受取部とは別の硬貨リジェクト口に、入金時に識別不能であって受け入れ不可な入金リジェクト硬貨を放出する硬貨処理装置が知られている（例えば、特許文献１，２，３参照）。また、装置をさらに小型化するために、硬貨リジェクト口を設けずに、出金硬貨と返却硬貨と入金リジェクト硬貨とを共通の硬貨受取部に放出する硬貨処理装置が知られている（例えば、特許文献４参照）。
【先行技術文献】
【特許文献】
【０００３】
【特許文献１】特開２００３−０２６３２２号公報
【特許文献２】特開２００５−２０２４９１号公報
【特許文献３】特開２０１０−１０２７４４号公報
【特許文献４】特開２０１３−２５４３６９号公報
【発明の概要】
【発明が解決しようとする課題】
【０００４】
しかしながら、これらの従来の硬貨処理装置では、異なる種類の放出関連処理による硬貨が共通の硬貨受取部に放出されるので、硬貨受取部に放出された硬貨がどのような処理によって放出されたものであるのかを把握し難い。
【０００５】
したがって、本発明は、異なる種類の放出関連処理による硬貨を共通の硬貨受取部に放出するものであっても、硬貨受取部に放出された硬貨がどのような放出関連処理によって放出されたものであるのかを容易に把握可能な硬貨処理装置の提供を目的とする。
【課題を解決するための手段】
【０００６】
上記目的を達成するために、請求項１に係る発明は、複数種類の放出関連処理を行う放出機構と、硬貨の種類に応じて硬貨を受け取る領域が位置固定されている硬貨受取部と、前記硬貨受取部に設けられて前記硬貨受取部を複数の領域に区分けする仕切り部と、前記放出機構から硬貨が放出され、前記放出機構から放出された硬貨を前記各領域に振り分ける振分部とを備えることを特徴とする。
請求項２に係る発明は、請求項１に係る発明において、前記領域は、容量を可変可能であることを特徴とする。
【０００７】
請求項３に係る発明は、請求項１又は２に係る発明において、前記仕切り部は、前記硬貨受取部に少なくとも一つ設けられて前記硬貨受取部を少なくとも二つの領域に区分けすることを特徴とする。
【００１０】
請求項４に係る発明は、請求項１乃至３の何れか一項に係る発明において、前記仕切り部は、前記硬貨受取部に着脱可能に設けられていることを特徴とする。
【発明の効果】
【００１３】
本発明の第１の態様によれば、放出機構から放出された硬貨を受け取る硬貨受取部を、仕切り部によって複数の領域に区分けしており、放出機構は、複数種類の放出関連処理をそれぞれ実行する際に、硬貨受取部の区分けされた複数の領域のうち、実行する放出関連処理の種類と対応する領域に硬貨を放出する。これにより、硬貨受取部において放出関連処理の各種類毎に分類してそれぞれ異なる領域で硬貨を受け取ることができるため、異なる種類の放出関連処理による硬貨を共通の硬貨受取部に放出するものであっても、硬貨受取部内のどの領域に硬貨が放出されたかを確認することで、硬貨受取部に放出された硬貨がどのような放出関連処理によって放出されたものであるのかを容易に把握することができる。
【００１４】
本発明の第２の態様によれば、放出機構から放出された硬貨を受け取る硬貨受取部を、仕切り部を一つ設けることによって、第一領域及び第二領域の二つの領域に区分けしており、放出機構は、第一領域に入金リジェクト処理による入金リジェクト硬貨を放出し、第二領域に出金処理による出金硬貨及び入金返却処理による返却硬貨のうちの少なくとも一方を放出する。これにより、硬貨受取部において、入金リジェクト硬貨と、出金硬貨及び返却硬貨のうちの少なくとも一方とを分類してそれぞれ異なる領域で受け取ることができるため、入金リジェクト硬貨と、出金硬貨及び返却硬貨のうちの少なくとも一方とを共通の硬貨受取部に放出するものであっても、硬貨受取部内の第一領域及び第二領域のいずれに硬貨が放出されたかを確認することで、硬貨受取部に放出された硬貨が、入金リジェクト処理によって放出されたものであるのか、出金処理及び入金返却処理のうちの少なくとも一方によって放出されたものであるのかを容易に把握することができる。
【００１５】
本発明の第３の態様によれば、放出機構から放出された硬貨を受け取る硬貨受取部を、仕切り部を一つ設けることによって、第一領域及び第二領域の二つの領域に区分けしており、放出機構は、第一領域に出金処理による出金硬貨を放出し、第二領域に入金返却処理による返却硬貨を放出する。これにより、硬貨受取部において、出金硬貨及び返却硬貨を分類してそれぞれ異なる領域で受け取ることができるため、出金硬貨及び返却硬貨を共通の硬貨受取部に放出するものであっても、硬貨受取部内の第一領域及び第二領域のいずれに硬貨が放出されたかを確認することで、硬貨受取部に放出された硬貨が、出金処理によって放出された出金硬貨であるのか、入金返却処理によって放出された返却硬貨であるのかを容易に把握することができる。
【００１６】
本発明の第４の態様によれば、放出機構から放出された硬貨を受け取る硬貨受取部を、仕切り部を二つ設けることによって、第一領域、第二領域及び第三領域の三つの領域に区分けしており、放出機構は、第一領域に出金処理による出金硬貨を放出し、第二領域に入金返却処理による返却硬貨を放出し、第三領域に入金リジェクト処理による入金リジェクト硬貨を放出する。これにより、硬貨受取部において、出金硬貨、返却硬貨及び入金リジェクト硬貨を分類してそれぞれ異なる領域で受け取ることができるため、出金硬貨、返却硬貨及び入金リジェクト硬貨を共通の硬貨受取部に放出するものであっても、硬貨受取部内の第一領域、第二領域及び第三領域のいずれに硬貨が放出されたかを確認することで、硬貨受取部に放出された硬貨が、出金処理によって放出された出金硬貨であるのか、入金返却処理によって放出された返却硬貨であるのか、入金リジェクト処理によって放出された入金リジェクト硬貨であるのかを容易に把握することができる。
【００１７】
本発明の第５の態様によれば、仕切り部が、硬貨受取部に着脱可能に設けられているため、硬貨受取部に仕切り部を装着することで硬貨受取部を複数の領域に区分けして上記のように実行する放出関連処理の種類毎に分類して硬貨を放出することができる。他方、硬貨受取部から仕切り部を取りはずことで硬貨受取部に複数種類の放出関連処理の硬貨を分類せずに放出することができる。したがって、分類放出と非分類放出とを選択的に行うことができる。
【００１８】
本発明の第６の態様によれば、硬貨受取部が位置固定の出金口であるため、異なる種類の放出関連処理による硬貨を位置固定の単一の出金口に放出するものであっても、出金口内のどの領域に硬貨が放出されたかを確認することで、出金口に放出された硬貨がどのような放出関連処理によって放出されたものであるのかを容易に把握することができる。
【００１９】
本発明の第７の態様によれば、硬貨受取部がカルトンであるため、異なる種類の放出関連処理による硬貨を共通形状のカルトンに放出するものであっても、カルトン内のどの領域に硬貨が放出されたかを確認することで、カルトンに放出された硬貨がどのような放出関連処理によって放出されたものであるのかを容易に把握することができる。
【図面の簡単な説明】
【００２０】
【図１】本発明に係る硬貨処理装置の第一実施形態としての貨幣入出金装置を示す斜視図である。
【図２】本発明に係る硬貨処理装置の第一実施形態としての貨幣入出金装置の硬貨出金口を示す平面図である。
【図３】本発明に係る硬貨処理装置の第一実施形態としての貨幣入出金装置の硬貨処理部の上部構成を示す平面図である。
【図４】本発明に係る硬貨処理装置の第一実施形態としての貨幣入出金装置の硬貨処理部の下部構成を示す平面図である。
【図５】本発明に係る硬貨処理装置の第一実施形態としての貨幣入出金装置の放出振分部を示す正面図である。
【図６】本発明に係る硬貨処理装置の第二実施形態としての貨幣入出金装置を示す斜視図である。
【図７】本発明に係る硬貨処理装置の第二実施形態としての貨幣入出金装置の硬貨処理部の下部構成を示す平面図である。
【図８】第一参考技術としての貨幣入出金装置の硬貨受取部の変更例としてのカルトンを示す平面図。
【図９】第二参考技術としての貨幣入出金装置の硬貨受取部の変更例としてのカルトンを示す平面図。
【図１０】本発明に係る硬貨処理装置の第一，第二実施形態としての貨幣入出金装置の硬貨処理部及び紙幣処理部の変更例を示す斜視図である。
【図１１】本発明に係る硬貨処理装置の第一，第二実施形態としての貨幣入出金装置の放出振分部の変更例を示す正面図である。
【図１２】本発明に係る硬貨処理装置の第二実施形態としての貨幣入出金装置の放出振分部の変更例を示す正面図である。
【発明を実施するための形態】
【００２１】
［第一実施形態］
本発明に係る硬貨処理装置の第一実施形態としての貨幣入出金装置を図１〜図５を参照して以下に説明する。なお、以下の説明において、「前」は装置前後方向の前側つまり操作者から見て手前側であり、「後」は装置前後方向の後側つまり操作者から見て奥側であり、「左」は操作者から見て左側であり、「右」は操作者から見て右側である。
【００２２】
第一実施形態の貨幣入出金装置１０は、いずれも貨幣である硬貨及び紙幣の入出金処理を行うものである。貨幣入出金装置１０は、右側に硬貨の入出金処理を行う硬貨処理部１５が、左側に紙幣の入出金処理を行う紙幣処理部１６が設けられている。
【００２３】
硬貨処理部１５には、貨幣入出金装置１０の装置上面１２の操作者と対向する装置前面１１側の右側に、入金処理時に装置外から硬貨が投入される上方開口の硬貨入金口２１が設けられている。また、硬貨処理部１５には、装置前面１１の右側に、硬貨の放出関連処理時に装置内から放出される硬貨を受け取って装置外に取り出し可能に貯留する上方開口の硬貨出金口２２（硬貨受取部）が設けられている。硬貨入金口２１は、複数金種が混在する金種混合状態で硬貨が装置外から一括投入され、このように投入された硬貨を貯留しつつ一枚ずつ分離して繰り出す。硬貨入金口２１及び硬貨出金口２２は、貨幣入出金装置１０において位置固定で設けられている。
【００２４】
硬貨出金口２２は、装置前面１１から前方に突出しており、この硬貨出金口２２の直上範囲には装置前面１１よりも後方に凹む凹状部２３が設けられている。硬貨出金口２２は、略水平な図２に示す底部２５と、底部２５の前縁部及び左右の縁部から上方に延出して硬貨出金口２２の前面及び両側面を形成する壁部２６とを有する受け皿状をなしている。硬貨出金口２２には、前後方向に延在して底部２５から鉛直に立ち上がる板状部材からなる二つの仕切り部２８，２９が左右に一体的に固定されている。
【００２５】
左側の仕切り部２８は、底部２５及び壁部２６のそれぞれの仕切り部２８よりも左側の部分によって硬貨出金口２２内に領域３１（第三領域）を形成している。また、左側の仕切り部２８は、右側の仕切り部２９と、底部２５及び壁部２６のそれぞれの仕切り部２８，２９間の部分によって硬貨出金口２２内に領域３２（第一領域）を形成している。右側の仕切り部２９は、底部２５及び壁部２６のそれぞれの仕切り部２９よりも右側の部分によって硬貨出金口２２内に領域３３（第二領域）を形成している。つまり、硬貨出金口２２には、硬貨出金口２２を複数、具体的には三カ所の領域３１〜３３に区分けする二つの仕切り部２８，２９が設けられている。言い換えれば、硬貨出金口２２に二つの仕切り部２８，２９が設けられて硬貨出金口２２を領域３１、領域３２及び領域３３の三つの領域に区分けしている。硬貨処理部１５は、その硬貨出金口２２の複数の領域３１〜３３に硬貨を選択的に放出可能となっている。
【００２６】
図１に示すように、貨幣入出金装置１０は、装置上面１２における硬貨入金口２１の左側に、操作者による操作入力が入力される操作部３５と、操作者に対して表示を行う表示部３６とが前後に並んで設けられている。
【００２７】
紙幣処理部１６には、装置上面１２の装置前面１１側に、入金処理時に装置外からバラ紙幣が投入される上方開口の紙幣入金口４１が設けられている。また、装置上面１２における紙幣入金口４１の後側に、出金処理時に装置内から紙幣が繰り出されると共に入金処理時に受け入れ不可な紙幣が装置内から繰り出される紙幣出金口４３が設けられている。なお、装置上面１２における紙幣出金口４３の後側に、紙幣出金口４３とは別に、入金処理時に受け入れ不可な紙幣が装置内から繰り出される紙幣リジェクト口が設けられるようにしても良い。
【００２８】
硬貨処理部１５は、図３に示すように、硬貨入金口２１に投入された硬貨を左側に搬送する第一搬送部５１と、この第一搬送部５１の下流側に接続され、この第一搬送部５１から硬貨を受け取り水平方向において鋭角に折り返しつつ後方に搬送する第二搬送部５２とを有する入金硬貨搬送部５３を備えている。
【００２９】
硬貨入金口２１は、その壁部を形成し、硬貨が外から投入されると共に投入された硬貨を下方に案内する筒状のホッパ部５５と、硬貨入金口２１の底部を形成するようにホッパ部５５の下方に設けられ、この位置から側方に延出してこの延出方向に硬貨を搬送する無端のベルトコンベア５６と、ベルトコンベア５６の上側に配置され、ベルトコンベア５６の搬送方向とは逆方向に対向部分を移動させる図示せぬ分離ローラとを有している。そして、硬貨入金口２１は、ホッパ部５５に投入された硬貨を、回転するベルトコンベア５６によりその延在方向に送り、途中位置に設けられた図示せぬ分離ローラで一枚ずつに分離してさらに下流側に繰り出す。
【００３０】
硬貨入金口２１のベルトコンベア５６は、硬貨入金口２１を構成する一方で、この硬貨入金口２１に投入された硬貨を搬送する上記した第一搬送部５１をも構成している。ベルトコンベア５６で構成される第一搬送部５１の終点部には、ベルトコンベア５６から硬貨を受け取って機体後方に搬送する第二搬送部５２の搬送路５８の始点部が接続されている。
【００３１】
第二搬送部５２は、第一搬送部５１のベルトコンベア５６から搬送路５８上に移送された硬貨を搬送路５８に上側から押し付けながら搬送路５８に沿って搬送する複数の移送ベルト５９，６０を有している。
【００３２】
搬送路５８には、その上流側に、硬貨入金口２１から繰り出されて第一搬送部５１及び第二搬送部５２で搬送される硬貨の磁気的性質や画像或いは外径等を検出することでその金種の識別及び金種別の計数等を行う硬貨識別部６１が設けられ、この硬貨識別部６１の下流側には硬貨識別部６１の識別結果に基づいて識別不能硬貨等の受け入れ不可な入金リジェクト硬貨を搬送路５８から排除可能な開閉リジェクト部６２が設けられている。この開閉リジェクト部６２は、搬送路５８に形成されたリジェクト孔６３及びこれを開閉するシャッタ６４を有している。
【００３３】
また、搬送路５８には、この開閉リジェクト部６２の下流側に、硬貨識別部６１で正常と識別された受け入れ可能な受入硬貨を搬送路５８から落下可能な複数の選別孔６５〜７０が設けられている。これら選別孔６５〜７０は硬貨を外径で選別する。つまり、搬送路５８を移動する硬貨を外径の小さい順に選別するように、硬貨の搬送方向に沿って上流側から下流側に、１円硬貨用の最も小さい選別孔６５、選別孔６５よりも大きい５０円硬貨用の選別孔６６、選別孔６６よりも大きい５円硬貨用の選別孔６７、選別孔６７よりも大きい１００円硬貨用の選別孔６８、選別孔６８よりも大きい１０円硬貨用の選別孔６９、選別孔６９よりも大きい５００円硬貨用の選別孔７０が、この順番に形成されている。つまり、選別孔６５〜７０は、硬貨識別部６１で正常と識別された硬貨を金種別に振り分ける。
【００３４】
選別孔６５〜７０の下方には、図４に示すように、それぞれが前後方向に沿う状態で左右方向に並べられた複数、具体的には六カ所の硬貨出金収納部７１〜７６が設けられている。硬貨出金収納部７１〜７６は、金種別のもので、選別孔６５〜７０で振り分けられた硬貨を繰り出し可能に収納する。
【００３５】
具体的に、最も前側の選別孔６５から落下した１円硬貨は左端の１円硬貨専用の硬貨出金収納部７１に収納される。前から二番目の５０円硬貨用の選別孔６６から落下した５０円硬貨は左から二番目の５０円硬貨専用の硬貨出金収納部７２に収納され、前から三番目の５円硬貨用の選別孔６７から落下した５円硬貨は左から三番目の５円硬貨専用の硬貨出金収納部７３に収納され、前から四番目の１００円硬貨用の選別孔６８から落下した１００円硬貨は左から四番目の１００円硬貨専用の硬貨出金収納部７４に収納され、前から五番目の１０円硬貨用の選別孔６９から落下した１０円硬貨は左から五番目の１０円硬貨専用の硬貨出金収納部７５に収納され、最も後側の５００円硬貨用の選別孔７０から落下した５００円硬貨は右端の５００円硬貨専用の硬貨出金収納部７６に収納される。
【００３６】
各硬貨出金収納部７１〜７６は、それぞれが、底部を形成するように前後方向に延在する状態で左右方向に並設されて回転時に硬貨出金口２２側に硬貨を搬送する無端のベルトコンベア７７と、ベルトコンベア７７の搬送方向とは逆方向に対向部分を移動させるように回転する分離ローラ７８と、分離ローラ７８で一枚ずつに分離された硬貨を計数しつつ一枚ずつ繰り出す繰出機構７９とを有している。
【００３７】
各硬貨出金収納部７１〜７６から計数されて繰り出された硬貨は、前方の放出振分部８１に導入される。ここで、図３に示す入金硬貨搬送部５３の開閉リジェクト部６２から落下する硬貨も、図示略のシュートを介して図４に示す放出振分部８１に導入される。開閉リジェクト部６２と硬貨出金収納部７１〜７６と放出振分部８１とが、硬貨出金口２２に硬貨を放出する複数種類の放出関連処理を行う放出機構８２を構成しており、この放出機構８２から放出された硬貨を硬貨出金口２２が受け取る。
【００３８】
放出振分部８１は、導入された硬貨を、硬貨出金口２２の領域３１〜３３に振り分けて放出する。放出振分部８１は、図５に示すように、開閉リジェクト部６２及び硬貨出金収納部７１〜７６から導入された硬貨を左右方向の中央に集める先細形状のガイド８５と、ガイド８５で集められた硬貨を、支持軸８６を中心に左右に揺動して振り分ける筒状のシュート８７とを有している。シュート８７の下端は、硬貨出金口２２の後部の上方に配置されており、硬貨出金口２２の後部の底部２５は、シュート８７から落下する硬貨を前方に案内するよう前下がりに傾斜している。
【００３９】
放出振分部８１は、シュート８７が図５に破線で示すように左側に揺動した状態では、導入された硬貨を硬貨出金口２２の領域３１のみに放出する。シュート８７が図５に実線で示すように鉛直に沿う状態では、導入された硬貨を硬貨出金口２２の領域３２のみに放出する。シュート８７が図５に二点鎖線で示すように右側に揺動した状態では、導入された硬貨を硬貨出金口２２の領域３３のみに放出する。よって、放出振分部８１を含む放出機構８２は、共通の硬貨出金口２２に設けられた複数の領域３１〜３３に選択的に硬貨を放出可能となっている。
【００４０】
放出機構８２が行う上記した硬貨の複数種類の放出関連処理は、具体的には、入金処理時に硬貨入金口２１に入金された硬貨のうち硬貨識別部６１の識別結果から受け入れ不可な硬貨を入金リジェクト硬貨として放出する入金リジェクト処理と、出金指令信号に基づいて装置内部の硬貨出金収納部７１〜７６に収納している硬貨を出金硬貨として放出する出金処理と、入金処理時に硬貨入金口２１に入金された硬貨のうち硬貨識別部６１の識別結果から受け入れ可能と識別して硬貨出金収納部７１〜７６に収納した硬貨と同金種で同数の硬貨を返却指令信号に基づいて返却硬貨として放出する入金返却処理との三つとなっている。
【００４１】
複数の領域３１〜３３のうち、領域３１が入金リジェクト処理と一対一で対応し、領域３２が出金処理と一対一で対応し、領域３３が入金返却処理と一対一で対応する。そして、放出振分部８１は、入金リジェクト処理を実行する際には、この入金リジェクト処理と対応する領域３１に入金リジェクト硬貨を放出し、出金処理を実行する際には、この出金処理と対応する領域３２に出金硬貨を放出し、入金返却処理を実行する際には、この入金返却処理と対応する領域３３に返却硬貨を放出する。つまり、放出振分部８１を含む放出機構８２は、複数種類の放出関連処理をそれぞれ実行する際に、複数の領域３１〜３３のうち、実行する放出関連処理の種類と対応する領域に硬貨を放出する。入金リジェクト硬貨を硬貨出金口２２の領域３１に放出することから、硬貨出金口２２とは別に入金リジェクト硬貨を受け取る専用の入金リジェクト口は、貨幣入出金装置１０には設けられていない。
【００４２】
次に、第一実施形態の貨幣入出金装置１０における硬貨処理部１５による硬貨の処理について説明する。
【００４３】
「入金処理」
一の取引開始にあたって、硬貨入金口２１に硬貨が投入された状態で、図示略の上位機に入金操作が入力されると、上位機は入金処理信号を貨幣入出金装置１０に出力する。すると、貨幣入出金装置１０は、硬貨処理部１５による入金処理を開始させる。つまり、先ず、貨幣入出金装置１０は、放出振分部８１のシュート８７を左側に揺動させて、導入された硬貨を硬貨出金口２２の領域３１のみに放出する状態とする。そして、硬貨入金口２１の硬貨をベルトコンベア５６及び図示せぬ分離ローラで一枚ずつ分離して入金硬貨搬送部５３に繰り出し、入金硬貨搬送部５３で搬送しつつ硬貨識別部６１で識別する。この硬貨識別部６１の識別結果に基づき、識別不能とされた入金リジェクト硬貨を、放出機構８２の開閉リジェクト部６２によりリジェクト孔６３から落下させ、放出振分部８１で硬貨出金口２２の左端の領域３１に放出する入金リジェクト処理を行う。これにより、入金リジェクト硬貨が硬貨出金口２２の左端の領域３１に収容され、操作者は、この入金リジェクト硬貨を硬貨出金口２２の領域３１から取り出すことができる。
【００４４】
他方、硬貨識別部６１の識別結果に基づき、受け入れ可能と識別された受入硬貨を、閉状態の開閉リジェクト部６２によってそのまま入金硬貨搬送部５３の下流側に移動させる。その結果、受入硬貨を、選別孔６５〜７０の対応するもので選別して硬貨出金収納部７１〜７６の対応するものに収納する。つまり、１円硬貨であれば選別孔６５で硬貨出金収納部７１に収納し、５０円硬貨であれば選別孔６６で硬貨出金収納部７２に収納し、５円硬貨であれば選別孔６７で硬貨出金収納部７３に収納し、１００円硬貨であれば選別孔６８で硬貨出金収納部７４に収納し、１０円硬貨であれば選別孔６９で硬貨出金収納部７５に収納し、５００円硬貨であれば選別孔７０で硬貨出金収納部７６に収納する。
【００４５】
硬貨入金口２１に投入された硬貨が、すべて、硬貨出金口２２の領域３１及び硬貨出金収納部７１〜７６のいずれかに収容されると、貨幣入出金装置１０は処理結果を図示略の上位機に出力する。すると、上位機は、今回の入金処理において受け入れた硬貨の計数結果と、入金取消をするか、入金確定をするかの選択操作を促す表示とを表示させる。
【００４６】
上記した入金取消をするか、入金確定をするかの問いに対して、操作者が、承認操作入力である入金確定の選択操作を上位機に入力すると、上位機は、今回の入金処理で受け入れた硬貨の計数値を確定して記憶し、貨幣入出金装置１０による入金処理を終了する。
【００４７】
「入金返却処理」
他方、上記した入金取消をするか、入金確定をするかの問いに対して、操作者が、取り消し操作入力である入金取消の選択操作を上位機に入力すると、上位機は、入金された金額と同金額の硬貨を返却硬貨として返却させる返却指令信号を貨幣入出金装置１０に出力する。すると、貨幣入出金装置１０は、先ず、放出振分部８１のシュート８７を、右に揺動させて、導入された硬貨を硬貨出金口２２の右端の領域３３のみに放出する状態とする。次に、入金された金額と同金額の返却硬貨を放出機構８２の硬貨出金収納部７１〜７６から各繰出機構７９で計数しつつ繰り出させ、同じく放出機構８２の放出振分部８１で硬貨出金口２２の右端の領域３３に放出する入金返却処理を行う。これにより、入金された金額と同金額の返却硬貨が硬貨出金口２２の右端の領域３３に収容され、操作者は、この返却硬貨を硬貨出金口２２の領域３３から取り出すことができる。
【００４８】
「出金処理」
出金処理時に、上位機は、所定の出金金額の硬貨を出金硬貨として出金させる出金指令信号を貨幣入出金装置１０に出力する。すると、貨幣入出金装置１０は、先ず、放出振分部８１のシュート８７を、鉛直に沿わせて、導入された硬貨を硬貨出金口２２の中央の領域３２のみに放出する状態とする。次に、所定の出金金額の出金硬貨を放出機構８２の硬貨出金収納部７１〜７６から各繰出機構７９で計数しつつ繰り出させ、同じく放出機構８２の放出振分部８１で硬貨出金口２２の中央の領域３２に放出する出金処理を行う。これにより、所定の出金金額の出金硬貨が硬貨出金口２２の中央の領域３２に収容され、操作者は、この出金硬貨を硬貨出金口２２の領域３２から取り出すことができる。
【００４９】
以上に述べた第一実施形態の貨幣入出金装置１０によれば、放出機構８２から放出された硬貨を受け取る硬貨出金口２２を、仕切り部２８，２９によって複数の領域３１〜３３に区分けしており、放出機構８２は、複数種類の放出関連処理をそれぞれ実行する際に、硬貨出金口２２の区分けされた複数の領域３１〜３３のうち、実行する放出関連処理の種類と対応する領域に硬貨を放出する。これにより、硬貨出金口２２において放出関連処理の各種類毎に分類してそれぞれ異なる領域で硬貨を受け取ることができるため、異なる種類の放出関連処理による硬貨を共通の硬貨出金口２２に放出するものであっても、硬貨出金口２２内のどの領域に硬貨が放出されたかを確認することで、硬貨出金口２２に放出された硬貨がどのような放出関連処理によって放出されたものであるのかを容易に把握することができる。
【００５０】
より具体的には、放出機構８２から放出された硬貨を受け取る硬貨出金口２２を、二つの仕切り部２８，２９によって三つの領域３１〜３３に区分けしており、放出機構８２は、領域３１に入金リジェクト処理による入金リジェクト硬貨を放出し、領域３２に出金処理による出金硬貨を放出し、領域３３に入金返却処理による返却硬貨を放出する。これにより、硬貨出金口２２において、入金リジェクト硬貨、出金硬貨及び返却硬貨を分類してそれぞれ異なる領域で受け取ることができるため、入金リジェクト硬貨、出金硬貨及び返却硬貨を共通の硬貨出金口２２に放出するものであっても、硬貨出金口２２内の領域３１、領域３２及び領域３３のいずれに硬貨が放出されたかを確認することで、硬貨出金口２２に放出された硬貨が、入金リジェクト処理によって放出された入金リジェクト硬貨であるのか、出金処理によって放出された出金硬貨であるのか、入金返却処理によって放出された返却硬貨であるのかを容易に把握することができる。
【００５１】
また、硬貨出金口２２が位置固定であるため、異なる種類の放出関連処理による硬貨を位置固定の単一の硬貨出金口２２に放出するものであっても、硬貨出金口２２内の領域３１〜３３のどの領域に硬貨が放出されたかを確認することで、硬貨出金口２２に放出された硬貨がどのような放出関連処理によって放出されたものであるのかを容易に把握することができる。
【００５２】
なお、第一実施形態においては、開閉リジェクト部６２で落下された入金リジェクト硬貨を放出振分部８１を介して硬貨出金口２２の領域３１に放出するようにしたが、開閉リジェクト部６２と領域３１とを放出振分部８１とは別に繋ぐシュートを設けて、入金リジェクト硬貨を領域３１に直接放出するようにしても良い。
【００５３】
また、第一実施形態においては、領域３１に入金リジェクト硬貨を、領域３２に出金硬貨を、領域３３に返却硬貨を、それぞれ放出する場合を例にとり説明したが、常に一定の放出パターンで放出するようにすれば、他のいずれの放出パターンとすることも可能である。つまり、領域３１に入金リジェクト硬貨を、領域３２に返却硬貨を、領域３３に出金硬貨を、それぞれ放出しても良く、領域３１に出金硬貨を、領域３２に入金リジェクト硬貨を、領域３３に返却硬貨をそれぞれ放出しても良く、領域３１に出金硬貨を、領域３２に返却硬貨を、領域３３に入金リジェクト硬貨を、それぞれ放出しても良く、領域３１に返却硬貨を、領域３２に出金硬貨を、領域３３に入金リジェクト硬貨を、それぞれ放出しても良く、領域３１に返却硬貨を、領域３２に入金リジェクト硬貨を、領域３３に出金硬貨を、それぞれ放出しても良い。
【００５４】
［第二実施形態］
第二実施形態の貨幣入出金装置１０を主に図６〜図７を参照して第一実施形態との相違部分を中心に説明する。
【００５５】
第二実施形態においては、図６に示すように、硬貨処理部１５の装置前面１１に、硬貨出金口２２の左側に隣り合って入金リジェクト口１０１が設けられている。そして、図７に示すように、硬貨出金口２２には、前後方向に延在して底部２５に鉛直に立設された一つの仕切り部１０２が設けられている。
【００５６】
仕切り部１０２は、底部２５及び壁部２６のそれぞれの仕切り部１０２よりも左側の部分によって硬貨出金口２２内に領域１０３（第一領域）を形成している。また、仕切り部１０２は、底部２５及び壁部２６のそれぞれの仕切り部１０２よりも右側の部分によって硬貨出金口２２内に領域１０４（第二領域）を形成している。つまり、硬貨出金口２２には、硬貨出金口２２を複数、具体的には二カ所の領域１０３，１０４に区分けする一つの仕切り部１０２が設けられており、言い換えれば、硬貨出金口２２に一つの仕切り部１０２が設けられて硬貨出金口２２を領域１０３及び領域１０４の二つの領域に区分けしている。第二実施形態において、硬貨処理部１５は、硬貨出金口２２の複数の領域１０３，１０４に硬貨を選択的に放出可能となっている。
【００５７】
各硬貨出金収納部７１〜７６から繰り出された硬貨は前方の放出振分部８１に導入される。ここで、上記した開閉リジェクト部６２（図３参照）から落下する硬貨は、この放出振分部８１に導入されることなく、専用の図示略のシュートを介して入金リジェクト口１０１に放出される。第二実施形態では、硬貨出金収納部７１〜７６と放出振分部８１とが、硬貨出金口２２に硬貨を放出する複数種類の放出関連処理を行う放出機構８２を構成しており、硬貨出金口２２が放出機構８２から放出された硬貨を受け取る。放出機構８２は、硬貨出金口２２の複数の領域１０３，１０４に硬貨を選択的に放出する。
【００５８】
第二実施形態では、放出振分部８１が、導入された硬貨を、硬貨出金口２２の領域１０３，１０４に振り分けて放出する。放出振分部８１は、シュート８７（図５参照）が左側に揺動した状態で、導入された硬貨を硬貨出金口２２の領域１０３のみに放出し、シュート８７が右側に揺動した状態で、導入された硬貨を硬貨出金口２２の領域１０４のみに放出する。
【００５９】
第二実施形態では、放出機構８２によって硬貨出金口２２に硬貨を放出する複数種類の放出関連処理が、出金指令信号に基づいて装置内部の硬貨出金収納部７１〜７６に収納している硬貨を出金硬貨として放出する出金処理と、入金処理時に硬貨入金口２１に入金された硬貨のうち硬貨識別部６１の識別結果から受け入れ可能と識別して硬貨出金収納部７１〜７６に収納した硬貨と同金種で同数の硬貨を返却指令信号に基づいて返却硬貨として放出する入金返却処理との二つになっている。
【００６０】
複数の領域１０３，１０４のうち、領域１０３が出金処理と一対一で対応し、領域１０４が入金返却処理と一対一で対応する。そして、放出振分部８１は、出金処理を実行する際には、この出金処理と対応する領域１０３に硬貨を放出し、入金返却処理を実行する際には、この入金返却処理と対応する領域１０４に硬貨を放出する。
【００６１】
次に、第二実施形態の貨幣入出金装置１０における硬貨処理部１５による硬貨の処理について説明する。
【００６２】
「入金処理」
一の取引開始にあたって、硬貨入金口２１に硬貨が投入された状態で、図示略の上位機に入金操作が入力されると、上位機は入金処理信号を貨幣入出金装置１０に出力する。すると、貨幣入出金装置１０は、硬貨処理部１５による入金処理を開始する。つまり、硬貨入金口２１の硬貨をベルトコンベア５６及び図示せぬ分離ローラで一枚ずつ分離して入金硬貨搬送部５３に繰り出し、入金硬貨搬送部５３で搬送しつつ硬貨識別部６１で識別する。この硬貨識別部６１の識別結果に基づき、識別不能とされた入金リジェクト硬貨を、放出機構８２の開閉リジェクト部６２によりリジェクト孔６３から落下させ、入金リジェクト口１０１に直接放出する入金リジェクト処理を行う。これにより、入金リジェクト硬貨が入金リジェクト口１０１に収容され、操作者は、この入金リジェクト硬貨を入金リジェクト口１０１から取り出すことができる。
【００６３】
他方、硬貨識別部６１の識別結果に基づき、受け入れ可能と識別された受入硬貨を、第一実施形態と同様に、閉状態の開閉リジェクト部６２によってそのまま入金硬貨搬送部５３の下流側に移動させる。その結果、受入硬貨を、選別孔６５〜７０の対応するもので選別して硬貨出金収納部７１〜７６の対応するものに収納する。
【００６４】
「入金返却処理」
入金処理の終了時の選択操作で、操作者が、取り消し操作入力である入金取消の選択操作を上位機に入力すると、上位機は、入金された金額と同金額の硬貨を返却硬貨として返却させる返却指令信号を貨幣入出金装置１０に出力する。すると、貨幣入出金装置１０は、先ず、放出振分部８１のシュート８７を、導入された硬貨を硬貨出金口２２の右側の領域１０４のみに放出する状態とする。次に、入金された金額と同金額の返却硬貨を放出機構８２の硬貨出金収納部７１〜７６から各繰出機構７９で計数しつつ繰り出させ、同じく放出機構８２の放出振分部８１で硬貨出金口２２の右側の領域１０４に放出する入金返却処理を行う。これにより、入金された金額と同金額の返却硬貨が硬貨出金口２２の右側の領域１０４に収容され、操作者は、この返却硬貨を硬貨出金口２２の領域１０４から取り出すことができる。
【００６５】
「出金処理」
出金処理時に、上位機は、所定の出金金額の硬貨を出金硬貨として出金させる出金指令信号を貨幣入出金装置１０に出力する。すると、貨幣入出金装置１０は、先ず、放出振分部８１のシュート８７を、導入された硬貨を硬貨出金口２２の左側の領域１０３のみに放出する状態とする。次に、所定の出金金額の出金硬貨を放出機構８２の硬貨出金収納部７１〜７６から各繰出機構７９で計数しつつ繰り出させ、同じく放出機構８２の放出振分部８１で硬貨出金口２２の左側の領域１０３に放出する出金処理を行う。これにより、所定の出金金額の出金硬貨が硬貨出金口２２の左側の領域１０３に収容され、操作者は、この出金硬貨を硬貨出金口２２の領域１０３から取り出すことができる。
【００６６】
以上に述べた第二実施形態の貨幣入出金装置１０によれば、放出機構８２から放出された硬貨を受け取る硬貨出金口２２を、一つの仕切り部１０２によって二つの領域１０３，１０４に区分けしており、放出機構８２は、領域１０３に出金処理による出金硬貨を放出し、領域１０４に入金返却処理による返却硬貨を放出する。これにより、硬貨出金口２２において、出金硬貨及び返却硬貨を分類してそれぞれ異なる領域で受け取ることができるため、出金硬貨及び返却硬貨を共通の硬貨出金口２２に放出するものであっても、硬貨出金口２２内の領域１０３及び領域１０４のいずれに硬貨が放出されたかを確認することで、硬貨出金口２２に放出された硬貨が、出金処理によって放出された出金硬貨であるのか、入金返却処理によって放出された返却硬貨であるのかを容易に把握することができる。
【００６７】
なお、第二実施形態においては、出金硬貨を硬貨出金口２２の領域１０３に、返却硬貨を領域１０４に、それぞれ放出する場合を例にとり説明したが、常に一定の放出パターンで放出するようにすれば、逆の放出パターンとすることも可能である。つまり、出金硬貨を領域１０４に、返却硬貨を硬貨出金口２２の領域１０３に、それぞれ放出しても良い。
【００６８】
また、第二実施形態においては、入金リジェクト硬貨を硬貨出金口２２とは別の入金リジェクト口１０１に放出したが、入金リジェクト口１０１を設けずに、開閉リジェクト部６２からの入金リジェクト硬貨を硬貨出金口２２の領域１０３に、硬貨出金収納部７１〜７６からの入金返却処理による返却硬貨及び出金処理による出金硬貨を領域１０４に、それぞれ放出しても良い。これとは逆に、入金リジェクト硬貨を領域１０４に、返却硬貨及び出金硬貨を領域１０３に、それぞれ放出しても良い。
【００６９】
また、硬貨出金口２２とは別に返却硬貨用の硬貨返却口を設け、入金リジェクト硬貨を硬貨出金口２２の領域１０３に、出金硬貨を領域１０４に、それぞれ放出しても良く、逆に、入金リジェクト硬貨を領域１０４に、出金硬貨を領域１０３に、それぞれ放出しても良い。
【００７０】
また、出金処理を行わない装置の場合、入金リジェクト硬貨を領域１０３に、返却硬貨を領域１０４に、それぞれ放出しても良く、逆に、入金リジェクト硬貨を領域１０４に、返却硬貨を領域１０３に、それぞれ放出しても良い。
【００７１】
つまり、放出機構は、第一領域に入金リジェクト処理による入金リジェクト硬貨を放出し、第二領域に出金処理による出金硬貨及び入金返却処理による返却硬貨のうちの少なくとも一方を放出するようにしても良い。このように構成すれば、放出機構からの硬貨を受け取る硬貨出金口において、入金リジェクト硬貨と、出金硬貨及び返却硬貨のうちの少なくとも一方とを分類してそれぞれ異なる領域で受け取ることができるため、入金リジェクト硬貨と、出金硬貨及び返却硬貨のうちの少なくとも一方とを共通の硬貨出金口に放出するものであっても、硬貨出金口内の第一領域及び第二領域のいずれに硬貨が放出されたかを確認することで、硬貨出金口に放出された硬貨が、入金リジェクト処理によって放出されたものであるのか、出金処理及び入金返却処理のうちの少なくとも一方によって放出されたものであるのかを容易に把握することができる。
【００７２】
以上に述べた第一，第二実施形態を以下のように変更することも可能である。
【００７３】
第一参考技術として、硬貨出金口２２に代えて、硬貨出金口２２の位置に装填及び取り出し可能な図８に示すカルトン１１１（硬貨受取部）を設けても良い。カルトン１１１は、矩形状の底部１１２と、底部１１２の周縁部から鉛直に立ち上がる周囲壁部１１３とを有しており、周囲壁部１１３の内側で底部１１２から鉛直に立ち上がる二つの仕切り部１１４，１１５を設けて上記と同様の三つの領域３１〜３３をカルトン１１１に形成する。そして、放出振分部８１で、装填されたカルトン１１１のこれらの領域３１〜３３に硬貨を第一実施形態と同様に振り分ける。
【００７４】
同様に、第二参考技術として、硬貨出金口２２に代えて、硬貨出金口２２の位置に装填及び取り出し可能な図９に示すカルトン１２１（硬貨受取部）を設けても良い。カルトン１２１は、矩形状の底部１２２と、底部１２２の周縁部から鉛直に立ち上がる周囲壁部１２３とを有しており、周囲壁部１２３の内側で底部１２２から鉛直に立ち上がる一つの仕切り部１２４を設けて上記と同様の二つの領域１０３，１０４をカルトン１２１に形成する。そして、放出振分部８１で、装填されたカルトン１２１のこれらの領域１０３，１０４に硬貨を第二実施形態と同様に振り分ける。
【００７５】
貨幣入出金装置１０は、操作者から見て、右側又は左側に硬貨処理部１５が設けられ、左側又は右側に紙幣処理部１６が設けられることに限定されるものではなく、図１０に示すように、硬貨処理部１５が紙幣処理部１６上に設けられるようにしても良い。参考技術として、硬貨処理部１５が紙幣処理部１６上に設けられた貨幣入出金装置１０において、硬貨出金口２２に代えて、硬貨出金口２２の位置に図８，図９に示すカルトン１１１，１２１を設けても良い。
【００７６】
硬貨出金口２２の複数の領域を、それぞれが同容量となるように仕切っても良く、少なくとも一カ所の領域が他の領域に対して容量が異なるように仕切っても良い。例えば、入金リジェクト硬貨を受け取る領域を、他の領域よりも小さくしたり、出金硬貨を受け取る領域を他の領域よりも大きくしたりしても良い。
【００７７】
第一実施形態において、底部２５及び壁部２６からなる硬貨出金口２２に複数の溝部を形成し、板状部材からなる仕切り部２８，２９をこれら溝部に嵌合させることで、硬貨出金口２２に対して仕切り部２８，２９を着脱可能とすることも可能である。この場合、硬貨出金口２２に仕切り部２８，２９を取り付けて三つの領域３１〜３３を形成すれば、上記したように、放出振分部８１でこれらの領域３１〜３３に、放出関連処理の種類毎に分類して硬貨を放出することができる。他方、硬貨出金口２２から仕切り部２８，２９を取り外すことで硬貨出金口２２に複数種類の放出関連処理の硬貨を分類せずに放出することができる。したがって、分類放出と非分類放出とを選択的に行うことができる。同様に、第二実施形態において、硬貨出金口２２に対して仕切り部１０２を着脱可能とすることができる。参考技術として、カルトン１１１の仕切り部１１４，１１５を底部１１２に対して同様にして着脱可能とするようにしても良く、カルトン１２１の仕切り部１２４を底部１２２に対して同様にして着脱可能とするようにしても良い。
【００７８】
加えて、硬貨出金口２２や参考技術としてのカルトン１１１，１２１の底部１１２，１２２に、板状部材からなる仕切り部の配置数よりも多い溝部を形成しておき、溝部を選択して仕切り部を嵌合させることで、各領域の容量を可変とすることも可能である。このように構成すれば、硬貨が放出領域から溢れて他の領域に漏れることがないように調整することが可能になる。
【００７９】
第一実施形態において、放出振分部８１に代えて、図１１に示すように、筒状のガイド１３１と、ガイド１３１内に配置されて支持軸１３２を中心に左右に揺動して硬貨を振り分けるシュート１３３とを有する放出振分部１３４を用いることが可能である。シュート１３３は先細テーパ状の導入部１３５と、導入部１３５の先端から延出する筒状の放出部１３６とを有する漏斗状をなしている。この放出振分部１３４は、図１１（ａ）に示すようにシュート１３３が左側に揺動した状態では、導入された硬貨を硬貨出金口２２の領域３１のみに放出することになり、図１１（ｂ）に示すようにシュート１３３が、その放出部１３６を鉛直に沿わせる状態では、導入された硬貨を硬貨出金口２２の領域３２のみに放出することになり、図１１（ｃ）に示すようにシュート１３３が右側に揺動した状態では、導入された硬貨を硬貨出金口２２の領域３３のみに放出する。第二実施形態においても、放出振分部８１に代えて、この放出振分部１３４を用いることが可能である。
【００８０】
更に、第二実施形態においては、放出振分部８１に代えて、図１２（ａ）に示すように筒状のガイド１４１内に支持軸１４２を中心に揺動する振分板１４３を設けた放出振分部１４４を用いることができる。この放出振分部１４４は、振分板１４３を支持軸１４２を中心に右側に揺動させることで左側の領域１０３に硬貨を落下させ、振分板１４３を支持軸１４２を中心に左側に揺動させることで右側の領域１０４に硬貨を落下させる。
【００８１】
また、第二実施形態においては、放出振分部８１に代えて、図１２（ｂ）に示すように筒状のガイド１４５の一部を、それぞれが支持軸１４６を中心に揺動する左右一対の振分板１４７とした放出振分部１４８を用いることができる。この放出振分部１４８は、右側の振分板１４７を支持軸１４６を中心に左側に揺動させることで左側の領域１０３に硬貨を落下させ、左側の振分板１４７を支持軸１４６を中心に右側に揺動させることで右側の領域１０４に硬貨を落下させる。
【００８２】
第一，第二実施形態においては、入金処理時に硬貨を硬貨出金収納部７１〜７６に収納し、返却処理時に返却硬貨を硬貨出金収納部７１〜７６から繰り出す場合を例にとり説明したが、入金硬貨を硬貨出金収納部７１〜７６とは別の一時貯留部に一時貯留させて、返却処理時にこの一時貯留部の入金硬貨をそのまま返却硬貨として放出するようにしても良い。この場合には、一時貯留部から返却硬貨を、放出振分部８１を介して硬貨出金口２２の対応する領域に放出したり、一時貯留部から返却硬貨を直接シュートを介して硬貨出金口２２の対応する領域に放出したりすることができる。
【００８３】
第一，第二実施形態においては、開閉リジェクト部６２が、入金硬貨搬送部５３において、硬貨識別部６１よりも下流に設けられることに限定されるものではなく、硬貨識別部６１よりも上流に設けられるようにしても良い。つまり、開閉リジェクト部６２が、硬貨入金口２１と硬貨識別部６１との間に配置される。このような貨幣入出金装置１０は、入金処理の際に、移送ベルト５９等が一方向に回転駆動して、硬貨入金口２１から投入された硬貨を、硬貨入金口２１から硬貨入金口２１よりも下流の硬貨識別部６１に搬送し、硬貨識別部６１により識別不能と識別されると、今度は、移送ベルト５９等が他方向に逆回転駆動して、識別不能と識別された入金リジェクト硬貨を、硬貨識別部６１から硬貨識別部６１よりも上流の開閉リジェクト部６２に逆転搬送し、開閉リジェクト部６２のリジェクト孔６３から落下させて、図示略のシュータを介して、硬貨出金口２２又は参考技術としてのカルトン１１１，１２１の入金リジェクト処理に対応する領域や入金リジェクト口１０１に放出する入金リジェクト処理を行う。これにより、開閉リジェクト部６２と硬貨入金口２１との水平方向の距離を短くすることができるので、開閉リジェクト部６２でリジェクトされた入金リジェクト硬貨の落下を案内するシュートの水平に対する角度を大きく確保することができ、硬貨出金口２２又は参考技術としてのカルトン１１１，１２１の入金リジェクト処理に対応する領域や入金リジェクト口１０１に入金リジェクト硬貨を自重落下で良好に案内することができる。
【００８４】
以上の変更を適宜組み合わせて上記実施形態を変更しても良い。
【００８５】
以上においては、硬貨処理装置の実施形態として硬貨の入出金を行い紙幣の入出金を行う貨幣入出金装置を例にとり説明したが、硬貨の複数種類の放出関連処理を行うものであれば良い。例えば、硬貨の出金のみを行う硬貨出金装置や、紙幣及び硬貨の出金のみを行う貨幣出金装置であって、硬貨を金種別に放出するもであっても良い。或いは、硬貨の入金のみを行う硬貨入金装置や紙幣及び硬貨の入金のみを行う貨幣入金装置であって、硬貨の入金時に、入金リジェクト硬貨を放出可能であって返却硬貨を返却可能なもの等でも良い。
【符号の説明】
【００８６】
１０  貨幣入出金装置（硬貨処理装置）
２２  硬貨出金口（硬貨受取部）
２８，２９，１０２，１１４，１１５，１２４  仕切り部
３１  領域（第一領域）
３２  領域（第二領域）
３３  領域（第三領域）
８１，１３４，１４４，１４８  放出振分部
８２  放出機構
１０３  領域（第一領域）
１０４  領域（第二領域）
１１１  カルトン（硬貨受取部）
１２１  カルトン（硬貨受取部）
【図１】
0006700727.tif 000002
【図２】
0006700727.tif 000003
【図３】
0006700727.tif 000004
【図４】
0006700727.tif 000005
【図５】
0006700727.tif 000006
【図６】
0006700727.tif 000007
【図７】
0006700727.tif 000008
【図８】
0006700727.tif 000009
【図９】
0006700727.tif 000010
【図１０】
0006700727.tif 000011
【図１１】
0006700727.tif 000012
【図１２】
0006700727.tif 000013